(57)【要約】【課題】設定の入力の操作を短縮し、かつユーザの直感的な入力の操作を可能とし、ユーザの操作負荷を減少させることができる画像形成装置及び設定受付方法を提供する。【解決手段】表示部と、該表示部の表示面への接触を検出する接触検出部とを備え、原稿の画像を読み取り、読み取られた画像に基づいてシート状の記録媒体に画像形成を行なう画像形成装置において、前記接触検出部によって検出された接触の数に基づいて、画像形成に係る設定を受け付ける。【選択図】図２
2015056001.tif 000002
【特許請求の範囲】
【請求項１】
表示部と、該表示部の表示面への接触を検出する接触検出部とを備え、原稿の画像を読み取り、読み取られた画像に基づいてシート状の記録媒体に画像形成を行なう画像形成装置において、
前記接触検出部によって検出された接触の数に基づいて、画像形成に係る設定を受け付けるように構成されていることを特徴とする画像形成装置。
【請求項２】
前記表示部には画像形成に係る指示を受け付けるための指示受付画像が表示され、
前記指示受付画像への接触が検出された場合、該接触の数に基づいて、片面読み取り又は両面読み取りの指示を受け付ける読取指示受付手段を備えることを特徴とする請求項１に記載の画像形成装置。
【請求項３】
前記読取指示受付手段が前記指示を受け付けた後、前記指示受付画像への接触が検出された場合、該接触の数に基づいて、片面画像形成又は両面画像形成の指示を受け付ける形成指示受付手段を備えることを特徴とする請求項２に記載の画像形成装置。
【請求項４】
前記形成指示受付手段が前記指示を受け付けた後、前記指示受付画像への接触が検出された場合、該接触の数に基づいて、複数の原稿の画像を１つに集約して画像形成する集約画像形成に係る前記複数の設定を受け付ける集約数受付手段を備えることを特徴とする請求項１から３の何れかに記載の画像形成装置。
【請求項５】
表示部と、該表示部の表示面への接触を検出する接触検出部とを備え、原稿の画像を読み取り、読み取られた画像に基づいてシート状の記録媒体に画像形成を行なう画像形成装置にて、画像形成に係る設定を受け付ける設定受付方法において、
前記接触検出部による接触の検出が行なわれるステップと、
前記接触検出部によって検出された接触の数に基づいて、画像形成に係る設定を受け付けるステップと
を含むことを特徴とする設定受付方法。
【発明の詳細な説明】
【技術分野】
【０００１】
本発明は、表示部と、該表示部の表示面への接触を検出する接触検出部とを備え、原稿の画像を読み取り、読み取られた画像に基づいてシート状の記録媒体に画像形成を行なう画像形成装置及び該画像形成装置を用いた設定受付方法に関する。
【背景技術】
【０００２】
近年、タッチパネルを備えた電子機器の普及が増えつつあり、その多くは、複数の点に同時にタッチ操作を行うことができるいわゆる多点検知式のタッチパネルである。このような類の電子機器は、タッチパネルを適宜タッチ操作することにより、前の画面に戻り、又は次の画面に進むなどの画面遷移ができるように構成されている。
【０００３】
例えば、特許文献１においては、階層化された複数の画面の各画面、又は、順番に表示される複数の画面の各画面を表示し、指のタッチ操作に応じて画面を遷移して表示する表示機器において、前記タッチ操作時の指の本数を検出し、検出した指の本数に予め対応付けられている画面に遷移する表示機器が開示されている。
【先行技術文献】
【特許文献】
【０００４】
【特許文献１】特開２０１３−１６１２３号公報
【発明の概要】
【発明が解決しようとする課題】
【０００５】
一方、原稿の画像に基づいて記録用紙に画像形成を行なう画像形成装置においては、例えば、原稿のコピーの際、片面読み取りか両面読み取りかの設定、片面印刷か両面印刷かの設定等を行なう必要があり、この場合、ユーザは、まず斯かる設定の受付画面に遷移させる操作を行ない、その後当該設定を入力することとなる。
【０００６】
しかしながら、当該受付画面を表示させるまでに何回かの操作を必要な場合、又は入力すべき設定が多い場合等は、斯かる設定の入力はユーザに操作負担となる。一方、上述したような特許文献１の表示機器においては、このような問題を解決することは出来ない。
【０００７】
本発明は、斯かる事情に鑑みてなされたものであり、その目的とするところは、表示部と、該表示部の表示面への接触を検出する接触検出部とを備え、原稿の画像を読み取り、読み取られた画像に基づいてシート状の記録媒体に画像形成を行なう画像形成装置において、前記接触検出部によって検出された接触の数に基づいて、画像形成に係る設定を受け付けることにより、設定の入力の操作を短縮し、かつユーザの直感的な入力の操作を可能とし、ユーザの操作負荷を減少させることができる画像形成装置及び設定受付方法を提供することにある。
【課題を解決するための手段】
【０００８】
本発明に係る画像形成装置は、表示部と、該表示部の表示面への接触を検出する接触検出部とを備え、原稿の画像を読み取り、読み取られた画像に基づいてシート状の記録媒体に画像形成を行なう画像形成装置において、前記接触検出部によって検出された接触の数に基づいて、画像形成に係る設定を受け付けるように構成されていることを特徴とする。
【０００９】
本発明に係る画像形成装置は、前記表示部には画像形成に係る指示を受け付けるための指示受付画像が表示され、前記指示受付画像への接触が検出された場合、該接触の数に基づいて、片面読み取り又は両面読み取りの指示を受け付ける読取指示受付手段を備えることを特徴とする。
【００１０】
本発明に係る画像形成装置は、前記読取指示受付手段が前記指示を受け付けた後、前記指示受付画像への接触が検出された場合、該接触の数に基づいて、片面画像形成又は両面画像形成の指示を受け付ける形成指示受付手段を備えることを特徴とする。
【００１１】
本発明に係る画像形成装置は、前記形成指示受付手段が前記指示を受け付けた後、前記指示受付画像への接触が検出された場合、該接触の数に基づいて、複数の原稿の画像を１つに集約して画像形成する集約画像形成に係る前記複数の設定を受け付ける集約数受付手段を備えることを特徴とする。
【００１２】
本発明に係る設定受付方法は、表示部と、該表示部の表示面への接触を検出する接触検出部とを備え、原稿の画像を読み取り、読み取られた画像に基づいてシート状の記録媒体に画像形成を行なう画像形成装置にて、画像形成に係る設定を受け付ける設定受付方法において、前記接触検出部による接触の検出が行なわれるステップと、前記接触検出部によって検出された接触の数に基づいて、画像形成に係る設定を受け付けるステップとを含むことを特徴とする。
【発明の効果】
【００１３】
本発明によれば、検出された接触の数に基づいて、画像形成に係る設定を受け付けるので、設定の入力の操作を短縮でき、かつユーザは直感的に設定の入力ができ、ユーザの操作負荷を減少させることができる。
【図面の簡単な説明】
【００１４】
【図１】本発明の実施の形態１に係る複合機の要部構成を示す機能ブロック図である。
【図２】本発明の実施の形態１に係る複合機における、制御部の要部構成を示す機能ブロック図である。
【図３】本発明の実施の形態１に係る複合機における、画像形成に係る設定を受け付ける処理を説明するフローチャートである。
【図４】本発明の実施の形態１に係る複合機における、画像形成に係る設定を受け付ける処理を説明するフローチャートである。
【図５】本発明の実施の形態１に係る複合機における、画像形成に係る設定の入力操作の一例を説明する説明図である。
【発明を実施するための形態】
【００１５】
以下に、本発明の実施の形態に係る画像形成装置及び設定受付方法を、いわゆるタッチパネルの機能を有する複合機１００に適用した場合を例として、図面に基づいて詳述する。
【００１６】
（実施の形態１）
図１は本発明の実施の形態１に係る複合機１００の要部構成を示す機能ブロック図である。複合機１００は、制御部１と、画像読取部２０と、画像処理部３０と、画像形成部４０と、接触検出部５０と、操作パネル６０と、表示部７０と、記憶部８０とを備えている。
【００１７】
記憶部８０は、例えば、フラッシュメモリ、ＥＥＰＲＯＭ（登録商標）、ＨＤＤ、ＭＲＡＭ（磁気抵抗メモリ）、ＦｅＲＡＭ（強誘電体メモリ）、又は、ＯＵＭ等の不揮発性の記憶媒体により構成されている。
【００１８】
表示部７０は、例えば、ＬＣＤ又はＥＬ（Electroluminescence）パネル等からなり、例えば、画像形成部４０を介して所定の記録用紙へ出力（印刷）すべき画像が表示される。また、表示部７０は、複合機１００の状態、ジョブ処理の状況、及び操作パネル６０の操作内容の確認等、ユーザに対して報知すべき情報を表示する。また、表示部７０には、ユーザからコピー、読み取り等の指示を受け付けるためのソフトキーが表示される。更に、表示部７０の表示面は後述する接触検出部５０のタッチパネルによって覆われている。
【００１９】
また、操作パネル６０は、複合機１００における「ファックス」、「複写」、「印刷」、「メール」等の機能を切り替える機能ボタン、テンキー、スタートキー、キャンセルキー、受け付けた指示を確定するためのエンターキー、画像読取部２０を介して読み取った原稿の画像をシート状の記録媒体上に画像形成するための出力キー又はコピーキー等を備えている。
【００２０】
接触検出部５０は、タッチパネルを有しており、上述したように、該タッチパネルは表示部７０の表示面を覆うように設けられている。従って、接触検出部５０は例えばユーザが指先でタッチ操作を行なった場合、ユーザの指先と表示部７０の表示面との接触を検出でき、かつ、表示部７０の表示面上における、前記接触に対応する位置を検出することができる。
【００２１】
前記タッチパネルは、例えば、マルチタッチ抵抗膜方式である。該抵抗膜方式タッチパネルでは、ベースとなるガラス面上にスペーサ(５〜１０μｍ）をはさみ、その表面にフィルム(厚さ２００μｍ程度のＰＥＴシート)が貼り付けられており、前記ガラス及びフィルムの相互対向面には、ＩＴＯの透明な電極格子が設けられている。前記抵抗膜方式タッチパネルでは斯かるガラス面、又はフィルム面夫々の透明電極の抵抗による分圧比を測定することにより、斯かる接触の位置（表示部７０の表示面上の座標）を特定し、接触検出部５０は該座標を特定する信号を発生する。また、接触検出部５０は、これに限るものでなく、ポインティングデバイス（例えば、スタイラスペン）等を用いる構成であっても良い。
【００２２】
画像形成部４０は、画像処理部３０から出力される画像データに基づく画像を記録用紙、ＯＨＰフィルム等の記録媒体上に印刷する。画像形成部４０は、感光体ドラム、該感光体ドラムを所定の電位に帯電させる帯電器、外部から受付けた画像データに応じてレーザ光を発して感光体ドラム上に静電潜像を生成させるレーザ書込装置、感光体ドラム表面に形成された静電潜像にトナーを供給して現像化する現像器、感光体ドラム表面に形成されたトナー像を記録媒体上に転写する転写器等を備えており、例えば、電子写真方式にて画像を記録媒体上に出力する。また、画像形成部４０はユーザの指示に応じて、片面印刷又は両面印刷を行なうように構成されている。
【００２３】
画像読取部２０は、読み取り用の原稿に光を照射する光源、ＣＣＤ（Charge Coupled Device）のようなイメージセンサ等を有し、該原稿の画像データの光学的読み取りを行なう。また、画像読取部２０では、所定の読取り位置に載置された原稿からの反射光像を当該イメージセンサに結像させ、ＲＧＢ（R : Red, G : Green, B : Blue）のアナログデータを出力する。また、画像読取部２０はユーザの指示に応じて、片面読み取り又は両面読み取りができるように構成されている。
【００２４】
画像処理部３０は、例えば、画像読取部２０から入力されるアナログデータを基にデジタル形式の画像データを生成し、又は記憶部８０に記憶されている画像データを読み出し、夫々の画像の種類に応じた処理を施した後、出力（印刷）すべき画像データを生成する。画像処理部３０によって生成された出力用画像データは、画像形成部４０に出力される。また、画像処理部３０は、ユーザの指示に応じて、後述する集約画像形成に斯かる複数の原稿の画像を１つに集約する集約処理を行ない、これによって得られた画像データは画像形成部４０に送られる。
【００２５】
図２は本発明の実施の形態１に係る複合機１００における、制御部１の要部構成を示す機能ブロック図である。制御部１は、ＣＰＵ１１と、ＲＯＭ１２と、ＲＡＭ１３と、表示制御部１４と、読取指示受付部１５と、形成指示受付部１６と、集約数受付部１７とを有している。
【００２６】
ＲＯＭ１２には各種の制御プログラム、演算用のパラメータのうちの基本的に固定のデータ等が予め格納されており、ＲＡＭ１３はデータを一時的に記憶し、記憶順、記憶位置等に関係なく読み出すことが可能である。また、ＲＡＭ１３は、例えば、ＲＯＭ１２から読み出されたプログラム、該プログラムを実行することにより発生する各種データ、該実行の際適宜変化するパラメータ等を記憶する。
【００２７】
ＣＰＵ１１は、ＲＯＭ１２に予め格納されている制御プログラムをＲＡＭ１３上にロードして実行することによって、上述した各種ハードウェアの制御を行ない、装置全体を本発明の複合機１００として動作させる。また、ＣＰＵ１１は、接触検出部５０を介して、ユーザから所定処理の指示を受け付ける。
【００２８】
表示制御部１４は、ＤＳＰ（Digital Signal Processor）のようなプロセッサにより構成され、表示部７０への画像表示を制御する。例えば、表示制御部１４は、ユーザからコピー開始指示を受け付けるための「スタート」ソフトキーに係る画像を生成して表示部７０に表示する。
【００２９】
読取指示受付部１５は、例えば、前記「スタート」ソフトキーを介して、片面読み取り又は両面読み取りの指示を受け付ける。より詳しくは、接触検出部５０によって、前記「スタート」ソフトキー（指示受付画像）への接触が検出された場合、該「スタート」ソフトキーへの接触の数に基づいて、片面読み取り又は両面読み取りの指示を受け付ける。
【００３０】
例えば、前記「スタート」ソフトキーでの接触の数が２つである場合、読取指示受付部１５は片面読み取りの指示を受け付けたものと認識する。一方、前記「スタート」ソフトキーでの接触の数が３つである場合、読取指示受付部１５は両面読み取りの指示を受け付けたものと認識する。
【００３１】
形成指示受付部１６は、例えば、前記「スタート」ソフトキーを介して、片面画像形成（片面印刷）又は両面画像形成（両面印刷）の指示を受け付ける。より詳しくは、読取指示受付部１５が片面読み取り指示又は両面読み取り指示を受け付けた後、一定時間内に、接触検出部５０によって、前記「スタート」ソフトキーへの接触が検出された場合、該「スタート」ソフトキーへの接触の数に基づいて、片面画像形成又は両面画像形成の指示を受け付ける。
【００３２】
例えば、前記「スタート」ソフトキーでの接触の数が１つである場合、形成指示受付部１６は片面画像形成の指示を受け付けたものと認識する。一方、前記「スタート」ソフトキーでの接触の数が２つである場合、形成指示受付部１６は両面画像形成の指示を受け付けたものと認識する。
【００３３】
集約数受付部１７は、例えば、前記「スタート」ソフトキーを介して、複数の原稿の画像を１つに集約して１枚の記録用紙に画像形成する集約画像形成における、集約すべき原稿の数の設定を受け付ける。より詳しくは、形成指示受付部１６が片面画像形成指示又は両面画像形成指示を受け付けた後、一定時間内に、接触検出部５０によって、前記「スタート」ソフトキーへの接触が検出された場合、該「スタート」ソフトキーへの接触の数に基づいて、集約すべき原稿の数の設定を受け付ける。
【００３４】
例えば、前記「スタート」ソフトキーでの接触の数が２つである場合、集約数受付部１７は２枚の原稿を集約すべき原稿の数として設定を受け付ける。一方、前記「スタート」ソフトキーでの接触の数が３つである場合、集約数受付部１７は４枚の原稿を集約すべき原稿の数として設定を受け付ける。
【００３５】
以上の構成を用いて、本発明の実施の形態１に係る複合機１００は、ユーザからの表示部７０へのタッチ操作により、原稿のコピー、読み取り等の機能における設定を受け付けて斯かる機能を実行する。
【００３６】
例えば、ユーザが表示部７０の表示面（接触検出部５０のタッチパネル）に指先を触れることにより、接触検出部５０はタッチ操作を受け付ける。この場合、接触検出部５０は、タッチされた点の位置を検出し、この点の座標を特定する信号をＣＰＵ１１に送出する。
【００３７】
ＣＰＵ１１は、接触検出部５０から前記信号（座標）を取得して、表示部７０に表示されているソフトキーのうち、該座標に対応する位置のソフトキーが操作されたものと認識する。
【００３８】
一方、本発明の実施の形態１に係る複合機１００においては、所定のソフトキーを介して該ソフトキーに対応する指示を受け付ける際、該ソフトキーにおける接触（例えば、ユーザの指先との接触）の数に応じて、画像形成に係る設定を受け付けるように構成されている。
【００３９】
図３及び図４は本発明の実施の形態１に係る複合機１００における、画像形成に係る設定を受け付ける処理を説明するフローチャートである。以下においては、ユーザが表示部７０（タッチパネル）をタッチ操作することにより、所定原稿のコピーを行なう場合を例として説明する。
【００４０】
まず、ユーザは、コピーすべき原稿を原稿台（図示せず）に載置した後、コピーを実行させるために、指先にて表示部７０の表示面に表示された前記「スタート」ソフトキーをタッチ操作する。
【００４１】
この際、接触検出部５０は、上述したように、ユーザの指先と前記表示面（タッチパネル）との接触の位置を特定する信号をＣＰＵ１１に送信し、ＣＰＵ１１は前記「スタート」ソフトキーが操作されたものと認識し、原稿のコピー指示を受け付ける（ステップＳ１０１）。
【００４２】
次いで、ＣＰＵ１１は、接触検出部５０から受信した信号に基づき、前記「スタート」ソフトキーに係る接触の数が１点か否かを判定する（ステップＳ１０２）。
【００４３】
ＣＰＵ１１によって前記「スタート」ソフトキーに係る接触の数が１点であると判定された場合（ステップＳ１０２：ＹＥＳ）、デフォルト設定に基づく印刷が実行される（ステップＳ１０３）。すなわち、原稿が片面読取により読み取られて片面印刷が行なわれ、かつ集約印刷は行われない。以降、処理は終了する。
【００４４】
一方、ＣＰＵ１１によって前記「スタート」ソフトキーに係る接触の数が１点でないと判定した場合（ステップＳ１０２：ＮＯ）、読取指示受付部１５は該「スタート」ソフトキーに係る接触の数が２点か否かを判定する（ステップＳ１０４）。
【００４５】
読取指示受付部１５は、前記「スタート」ソフトキーに係る接触の数が２点であると判定した場合（ステップＳ１０４：ＹＥＳ）、読み取りに係る設定として片面読み取りの設定を受け付けたものと認識する（ステップＳ１０６）。このように受け付けた読み取りに係る設定はＲＡＭ１３に記憶される。
【００４６】
図５は本発明の実施の形態１に係る複合機１００における、画像形成に係る設定の入力操作の一例を説明する説明図である。
【００４７】
一方、読取指示受付部１５が「スタート」ソフトキー７１に係る接触の数が２点でないと判定した場合（ステップＳ１０４：ＮＯ）、例えば、図５に示すように、「スタート」ソフトキー７１に係る接触の数が３点以である場合、読取指示受付部１５は読み取りに係る設定として両面読み取りの設定を受け付けたものと認識する（ステップＳ１０５）。
【００４８】
例えば、コピーすべき原稿が両面原稿であるような場合、ユーザは図５に示したように、３本の指にて「スタート」ソフトキー７１をタッチ操作すれば良い。このように受け付けた読み取りに係る設定はＲＡＭ１３に記憶される。
【００４９】
次いで、ＣＰＵ１１は計時部（図示せず）に計時開始を指示し、該計時部は計時を開始する。
【００５０】
また、ＣＰＵ１１は、接触検出部５０から受信した信号に基づき、その後「スタート」ソフトキー７１に係る接触が更にあったか否か判定する（ステップＳ１０７）。
【００５１】
ＣＰＵ１１は、その後「スタート」ソフトキー７１に係る接触がないと判定した場合（ステップＳ１０７：ＮＯ）、前記計時部の計時結果に基づいて、Ｎ秒が経過したか否かを判定する（ステップＳ１０８）。
【００５２】
ＣＰＵ１１はＮ秒が経過していないと判定した場合（ステップＳ１０８：ＮＯ）、処理をステップＳ１０７に戻す。
【００５３】
一方、ＣＰＵ１１はＮ秒が経過したと判定した場合（ステップＳ１０８：ＹＥＳ）、すなわち、更に、ユーザによって「スタート」ソフトキー７１がタッチ操作されることなく、Ｎ秒が経過した場合、以上の処理にて受け付けた設定に基づいて原稿が読み取られ、読み取られた画像に基づいて印刷が実行される。
【００５４】
すなわち、ステップＳ１０５又はステップＳ１０６にて受け付けた読み取りに係る設定に基づいて原稿を読み取り、片面印刷及び集約印刷でない通常印刷の設定にて、画像形成部４０により読み取られた画像の印刷が行なわれる（ステップＳ１０９）。以降、処理は終了する。
【００５５】
一方、ステップＳ１０７にて、ＣＰＵ１１により、その後「スタート」ソフトキー７１に係る接触が更にあったと判定された場合（ステップＳ１０７：ＹＥＳ）、形成指示受付部１６は、この際に接触検出部５０から受信した信号に基づき、「スタート」ソフトキー７１に係る接触の数が１点か否かを判定する（ステップＳ１１０）。
【００５６】
「スタート」ソフトキー７１に係る接触の数が１点であると判定した場合（ステップＳ１１０：ＹＥＳ）、形成指示受付部１６は画像形成（印刷）に係る設定として片面印刷の設定を受け付けたものと認識する（ステップＳ１１１）。このように受け付けた片面印刷か両面印刷かに係る設定はＲＡＭ１３に記憶される。
【００５７】
一方、「スタート」ソフトキー７１に係る接触の数が１点でないと判定した場合（ステップＳ１１０：ＮＯ）、例えば、図５に示すように、「スタート」ソフトキー７１に係る接触の数が２点以上である場合、形成指示受付部１６は画像形成に係る設定として両面印刷の設定を受け付けたものと認識する（ステップＳ１１４）。このように受け付けた片面印刷か両面印刷かに係る設定はＲＡＭ１３に記憶される。
【００５８】
次いで、ＣＰＵ１１は前記計時部に計時開始を指示し、該計時部は計時を開始する。
【００５９】
また、ＣＰＵ１１は、接触検出部５０から受信した信号に基づき、その後、すなわち、片面印刷か両面印刷かに係る設定を受け付けた後、「スタート」ソフトキー７１に係る接触が更にあったか否か判定する（ステップＳ１１２）。
【００６０】
ＣＰＵ１１は、その後「スタート」ソフトキー７１に係る接触がないと判定した場合（ステップＳ１１２：ＮＯ）、前記計時部の計時結果に基づいて、Ｎ秒が経過したか否かを判定する（ステップＳ１１３）。
【００６１】
ＣＰＵ１１はＮ秒が経過していないと判定した場合（ステップＳ１１３：ＮＯ）、処理をステップＳ１１２に戻す。一方、ＣＰＵ１１はＮ秒が経過したと判定した場合（ステップＳ１１３：ＹＥＳ）、すなわち、更に、ユーザによって「スタート」ソフトキー７１がタッチ操作されることなく、Ｎ秒が経過した場合、以上の処理にて受け付けた設定に基づいて原稿が読み取られ、読み取られた画像に基づいて印刷が実行される（ステップＳ１１５）。
【００６２】
すなわち、ステップＳ１０５又はステップＳ１０６にて受け付けた読み取りに係る設定と、ステップＳ１１１又はステップＳ１１４にて受け付けた片面印刷か両面印刷かに係る設定とに基づき、画像読取部２０が原稿を読み取り、画像形成部４０により集約印刷でない通常印刷の設定にて、読み取られた画像の片面印刷又は両面印刷が行なわれる。以降、処理は終了する。
【００６３】
一方、ステップＳ１１２にて、ＣＰＵ１１により、その後「スタート」ソフトキー７１に係る接触が更にあったと判定された場合（ステップＳ１１２：ＹＥＳ）、集約数受付部１７は、この際に接触検出部５０から受信した信号に基づき、「スタート」ソフトキー７１に係る接触の数が１点か否かを判定する（ステップＳ１１６）。
【００６４】
集約数受付部１７によって、「スタート」ソフトキー７１に係る接触の数が１点であると判定した場合（ステップＳ１１６：ＹＥＳ）、処理はステップＳ１１５に移動し、上述したような処理が実行される。
【００６５】
一方、集約数受付部１７は、「スタート」ソフトキー７１に係る接触の数が１点でないと判定した場合（ステップＳ１１６：ＮＯ）、「スタート」ソフトキー７１に係る接触の数が２点か否かを判定する（ステップＳ１１７）。
【００６６】
集約数受付部１７は、「スタート」ソフトキー７１に係る接触の数が２点であると判定した場合（ステップＳ１１７：ＹＥＳ）、集約印刷に係る設定として、２枚の原稿の画像を１つに集約する（以下、２ｉｎ１という）旨の設定を受け付けたものと認識する（ステップＳ１１８）。このように受け付けた集約印刷に係る設定はＲＡＭ１３に記憶される。
【００６７】
続いて、以上の処理にて受け付けた設定に基づいて原稿が読み取られ、読み取られた画像に基づいて印刷が実行される。
【００６８】
すなわち、ステップＳ１０５又はステップＳ１０６にて受け付けた読み取りに係る設定と、ステップＳ１１１又はステップＳ１１４にて受け付けた片面印刷か両面印刷かに係る設定と、ステップＳ１１８にて受け付けた集約印刷に係る設定とに基づき、画像読取部２０が原稿を読み取り、画像形成部４０により２ｉｎ１の設定にて、読み取られた画像の片面印刷又は両面印刷が行なわれる（ステップＳ１１９）。以降、処理は終了する。
【００６９】
また、集約数受付部１７は、「スタート」ソフトキー７１に係る接触の数が２点でないと判定した場合（ステップＳ１１７：ＮＯ）、すなわち、「スタート」ソフトキー７１に係る接触の数が３点以上である場合、集約印刷に係る設定として、４枚の原稿の画像を１つに集約する（以下、４ｉｎ１という）旨の設定を受け付けたものと認識する（ステップＳ１２０）。このように受け付けた集約印刷に係る設定はＲＡＭ１３に記憶される。
【００７０】
続いて、ステップＳ１０５又はステップＳ１０６にて受け付けた読み取りに係る設定と、ステップＳ１１１又はステップＳ１１４にて受け付けた片面印刷か両面印刷かに係る設定と、ステップＳ１２０にて受け付けた集約印刷に係る設定とに基づき、画像読取部２０が原稿を読み取り、画像形成部４０により４ｉｎ１の設定にて、読み取られた画像の片面印刷又は両面印刷が行なわれる（ステップＳ１２１）。以降、処理は終了する。
【００７１】
以上のような構成により、本発明に係る複合機１００においては、ユーザが画像の読み取り、コピー、印刷等の画像形成に係る機能の設定を行なう際、斯かる設定の入力操作をより簡単にし、かつ該入力操作に係る手間を省くことができる。
【００７２】
例えば、ユーザが２ｉｎ１の集約印刷を希望する場合、２本の指にて一回「スタート」ソフトキー７１をタッチ操作することにより、集約印刷の指示、及び集約印刷のうち２ｉｎ１の設定を共に行なうことができる。
【００７３】
（実施の形態２）
実施の形態１においては、複合機１００がユーザから画像形成に係る設定を受け付ける際、片面読み取りか両面読み取りかの設定と、片面印刷か両面印刷かの設定と、２ｉｎ１か４ｉｎ１かの設定とがこの順に行なわれる場合を例に説明したが、本発明はこれに限るものではない。例えば、片面印刷か両面印刷かの設定の後に片面読み取りか両面読み取りかの設定を受け付ける等、ユーザの必要に応じて適宜変更できるように構成しても良い。
【００７４】
（実施の形態３）
実施の形態１においては、ユーザが「スタート」ソフトキー７１をタッチ操作することにより、片面読み取りか両面読み取りかの設定と、片面印刷か両面印刷かの設定と、２ｉｎ１か４ｉｎ１かの設定とを受け付けることについて説明したが、本発明はこれに限るものでない。例えば、他のソフトキーを介して斯かる設定を入力するように構成してもよく、片面読み取りか両面読み取りかの設定を受け付けるソフトキー、片面印刷か両面印刷かの設定を受け付けるソフトキー、２ｉｎ１か４ｉｎ１かの設定を受け付けるソフトキーとを夫々設け、各ソフトキーにおける接触の数に応じて、対応する設定を受け付けるように構成しても良い。
【００７５】
（実施の形態４）
実施の形態１においては、ユーザが「スタート」ソフトキー７１をタッチ操作することにより、片面読み取りか両面読み取りかの設定と、片面印刷か両面印刷かの設定と、２ｉｎ１か４ｉｎ１かの設定とを受け付けることについて説明したが、本発明はこれに限るものではなく、その他の画像形成に係る設定、例えば、コピーの部数、拡大・縮小、濃度等の設定を、検出された接触の数に応じて受け付けるように構成しても良い。
【００７６】
例えば、接触の数の増加につれて、コピーの部数が増加し、拡大の倍率が増加し、濃度が濃くなるようにすれば良い。
【００７７】
（実施の形態５）
本発明は以上の記載に限るものでなく、片面読み取りか両面読み取りかの設定、片面印刷か両面印刷かの設定、２ｉｎ１か４ｉｎ１かの設定を受け付ける際、受け付けた設定を表示部７０に表示してユーザが確認できるように構成しても良い。
【００７８】
すなわち、斯かるタッチ操作（設定の受け付け）の前に、以後のタッチ操作によってどのような設定ができるかを表示部７０に表示し、又は、斯かるタッチ操作（設定の受け付け）の後に、只今のタッチ操作によってどのような設定ができたかを表示部７０に表示するように構成すれば良い。
【００７９】
（実施の形態６）
上述した読取指示受付部１５と、形成指示受付部１６と、集約数受付部１７とは、ハードウェアロジックによって構成してもよいし、ＣＰＵ１１が所定のプログラムを実行することにより、ソフトウェア的に構築されてもよい。
【００８０】
本発明においては、表示部７０と、該表示部７０の表示面への接触を検出する接触検出部５０とを備え、原稿の画像を読み取り、読み取られた画像に基づいてシート状の記録媒体に画像形成を行なう画像形成装置１００において、前記接触検出部５０によって検出された接触の数に基づいて、画像形成に係る設定を受け付けるように構成されていることを特徴とする。
【００８１】
本発明によれば、ユーザが前記表示部の表示面を指先にてタッチ操作した場合、前記接触検出部が前記表示部の表示面への接触を検出し、前記接触検出部によって検出された接触の数に基づいて、画像形成に係る設定を受け付ける。
【００８２】
本発明においては、前記表示部７０には画像形成に係る指示を受け付けるための指示受付画像７１が表示され、前記指示受付画像７１への接触が検出された場合、該接触の数に基づいて、片面読み取り又は両面読み取りの指示を受け付ける読取指示受付手段１５を備えることを特徴とする。
【００８３】
本発明によれば、例えば、ユーザが前記表示部に表示された前記指示受付画像をタッチ操作した場合、前記接触検出部が前記表示部の表示面への接触を検出し、前記接触検出部によって検出された接触の数に基づいて、前記読取指示受付手段が片面読み取り又は両面読み取りの指示を受け付ける。
【００８４】
本発明においては、前記読取指示受付手段１５が前記指示を受け付けた後、前記指示受付画像７１への接触が検出された場合、該接触の数に基づいて、片面画像形成又は両面画像形成の指示を受け付ける形成指示受付手段１６を備えることを特徴とする。
【００８５】
本発明によれば、例えば、前記読取指示受付手段が前記指示を受け付けた後、ユーザが前記指示受付画像を更にタッチ操作した場合、前記接触検出部が前記表示部の表示面への接触を検出し、前記接触検出部によって検出された接触の数に基づいて、前記形成指示受付手段が片面画像形成又は両面画像形成の指示を受け付ける。
【００８６】
本発明においては、前記形成指示受付手段１６が前記指示を受け付けた後、前記指示受付画像７１への接触が検出された場合、該接触の数に基づいて、複数の原稿の画像を１つに集約して画像形成する集約画像形成に係る前記複数の設定を受け付ける集約数受付手段１７を備えることを特徴とする。
【００８７】
本発明によれば、例えば、前記形成指示受付手段１６が前記指示を受け付けた後、ユーザが前記指示受付画像を更にタッチ操作した場合、前記接触検出部が前記表示部の表示面への接触を検出し、前記接触検出部によって検出された接触の数に基づいて、前記集約数受付手段が集約画像形成すべき原稿の画像の数の設定を受け付ける。
【００８８】
本発明においては、表示部７０と、該表示部７０の表示面への接触を検出する接触検出部５０とを備え、原稿の画像を読み取り、読み取られた画像に基づいてシート状の記録媒体に画像形成を行なう画像形成装置１００にて、画像形成に係る設定を受け付ける設定受付方法において、前記接触検出部５０による接触の検出が行なわれるステップと、前記接触検出部５０によって検出された接触の数に基づいて、画像形成に係る設定を受け付けるステップとを含むことを特徴とする。
【００８９】
本発明によれば、例えば、ユーザが前記表示部の表示面を指先にてタッチ操作した場合、前記接触検出部が前記表示部の表示面への接触を検出し、前記接触検出部によって検出された接触の数に基づいて、画像形成に係る設定を受け付ける。
【符号の説明】
【００９０】
１  制御部
１１  ＣＰＵ
１５  読取指示受付部
１６  形成指示受付部
１７  集約数受付部
５０  接触検出部
７０  表示部
７１  「スタート」ソフトキー（指示受付画像）
１００  複合機
【図１】
2015056001.tif 000003
【図２】
2015056001.tif 000004
【図３】
2015056001.tif 000005
【図４】
2015056001.tif 000006
【図５】
2015056001.tif 000007